(57)【要約】【課題】無線通信機能の少なくとも電波発信機能を停止したときには、周囲の人にそれが容易に判るようにする。【解決手段】ケース体１０に絵柄表示された電話機模様１３と、電話機模様１３の部分に×印状に分散配置され、第１の電源スイッチ手段７の操作により電波発信機能が停止状態にされた時に、電池５から電源制御部６を介して所要の電力が供給されて発光する複数個のＬＥＤ４とからなる電波発信機能停止表示部１２を備えた携帯電話装置。【選択図】  図１
2006140746.tif 000002
【特許請求の範囲】
【請求項１】
電波の受発信を行う無線通信機能と、無線通信機能の内の少なくとも電波の発信機能を
手動で停止可能に設けられた電波発信機能停止手段と、電話帳機能、計算機機能、カメラ
機能、音声・映像再生機能、手帳機能の少なくとも一つの機能を備えた携帯電話装置にお
いて、ケース部材に絵柄表示された電話機模様と、電話機模様の部分に×印状に配置され
、電波発信機能停止手段により電波の発信機能が停止状態にされた時に給電されて発光す
る発光手段とからなる電波発信機能停止表示部が設けられたことを特徴とする携帯電話装
置。
【発明の詳細な説明】
【技術分野】
【０００１】
本発明は携帯電話装置に係り、特に機器の誤作動の観点から通信を控えることが要求さ
れる病院や飛行機等においても電話帳機能、計算機機能、カメラ機能、音声・映像再生機
能、手帳機能等の通信機能以外の機能を使えるようにした携帯電話装置に関する。
【背景技術】
【０００２】
この種の携帯電話装置として、例えば図３に示したように電波の受発信を行うためのア
ンテナ１を備えた無線通信機能部２と、音声や映像の再生を行うための情報再生機能処理
部３Ｘと、電池５と、電池５の出力電圧をＤＣ／ＤＣ変換器等により所要の電圧変換を行
い、無線通信機能部２および情報再生機能処理部３Ｘが必要とする電圧を生成する電源制
御部６と、電池５の電力を電源制御部６を介して無線通信機能部２に供給するか否かを選
択するための第１の電源スイッチ手段７と、電池５の電力を電源制御部６を介して情報再
生機能処理部３Ｘに供給するか否かを選択するための第２の電源スイッチ手段８とを備え
た携帯電話装置１００Ｘが周知である（例えば、特許文献１参照。）。
【０００３】
そして、第１、第２の電源スイッチ手段７、８は、共に携帯電話装置１００Ｘの使用者
が手動で操作可能に、具体的には機械的なボタン類やディスプレイ表示に基づいたメニュ
ー選択等によって実現されるようになっている。
【０００４】
図３に示した従来の携帯電話装置１００Ｘにおいては、無線通信を行うための無線通信
機能部２のオン／オフに依らず、常に音楽や映像等の情報再生が可能となり、電車内や病
院内等で無線通信機能、特に電波発信機能を停止した場合でも、簡単な手動操作により自
由に音楽や映像を楽しむことができ、且つ、消費電力が低減して電池寿命を延長すること
ができると云った特長がある。
【特許文献１】特開２００２−６４５９６号公報
【発明の開示】
【発明が解決しようとする課題】
【０００５】
しかし、上記従来の携帯電話装置においては、無線通信機能を停止していても、周囲に
いる人にはその携帯電話装置の無線通信機能が停止状態になっていて、電子医療機器や電
子航空機器に悪影響が及ばないように設定されていることは分からない。
【０００６】
そのため、使用者に携帯電話装置の電源を切るよう要求されることが起こり得るし、無
線通信機能を停止した状態で無線通信機能以外の機能を使用していても、使用者は周囲の
人から白い目で見られることにもなるので、無線通信機能（少なくとも電波発信機能）の
停止が周囲にいる人に容易に判るようにする必要があり、その解決が求められていた。
【課題を解決するための手段】
【０００７】
本発明は、電波の受発信を行う無線通信機能と、無線通信機能の内の少なくとも電波の
発信機能を手動で停止可能に設けられた電波発信機能停止手段と、電話帳機能、計算機機
能、カメラ機能、音声・映像再生機能、手帳機能の少なくとも一つの機能を備えた携帯電
話装置において、ケース部材に絵柄表示された電話機模様と、電話機模様の部分に×印状
に配置され、電波発信機能停止手段により電波の発信機能が停止状態にされた時に給電さ
れて発光する発光手段とからなる電波発信機能停止表示部が設けられたことを特徴とする
携帯電話装置である。
【発明の効果】
【０００８】
本発明の携帯電話装置においては、無線通信機能の内の少なくとも電波発信機能を停止
して電子医療機器や電子航空機器に悪影響が及ばないようにした時には、そのことが周囲
の人に容易に判るので、病院や飛行機の中でも使用者は無線通信機能の少なくとも電波発
信機能を停止し、そのことを周囲の人に知らせながら、電話帳機能、計算機機能、カメラ
機能、音声・映像再生機能、手帳機能等の無線通信機能以外の機能を利用することができ
る。但し、デジタルカメラの使用が制限される場所では本装置も使用しないものとする。
【発明を実施するための最良の形態】
【０００９】
電波の受発信を行う無線通信機能と、無線通信機能の内の少なくとも電波の発信機能を
手動で停止可能に設けられた電波発信機能停止手段と、電話帳機能、計算機機能、カメラ
機能、音声・映像再生機能、手帳機能の少なくとも一つの機能を備えた携帯電話装置にお
いて、ケース部材に絵柄表示された電話機模様と、電話機模様の部分に×印状に配置され
、電波発信機能停止手段により電波の発信機能が停止状態にされた時に給電されて発光す
る発光手段とからなる電波発信機能停止表示部が設けられた携帯電話装置であり、電波発
信機能停止表示部がケース体の表示部が設けられた側の面と、その反対側の面の２箇所に
設けられた携帯電話装置である。
【実施例１】
【００１０】
以下、本発明の一実施例を図１と図２に基づいて説明する。なお、理解を容易にするた
め、これらの図においても前記図３において説明した部分と同様の機能を有する部分には
同一の符号を付した。
【００１１】
図２から判るように、本発明の携帯電話装置１００においても、アンテナ１を有する無
線通信機能部２と、電話帳機能、計算機機能、カメラ機能、音声・映像再生機能、手帳機
能等の無線通信機能以外の機能を有する情報処理機能部３とが備えられている。なお、無
線通信機能部２と情報処理機能部３については、従来周知の当該機能部と特に変わるもの
ではないので、その詳細な説明は省略する。
【００１２】
また、図１に示したように、本発明の携帯電話装置１００においては、ケース体１０の
液晶・有機ＥＬ素子等から構成される表示部１１が設けられている側の面の上部側には電
波発信機能停止表示部１２が設けられている。
【００１３】
この電波発信機能停止表示部１２は、電話機を絵柄表示した電話機模様１３と、その電
話機模様１３の部分に×印状に配置された発光素子である複数個のＬＥＤ４とからなる。
【００１４】
そして、第１の電源スイッチ手段７の手動操作により、電池５から電源制御部６を介し
て無線通信機能部２に所要の電力が供給されて、無線通信機能部２が電波の受発信可能な
状態になっている時にはＬＥＤ４には電池５から電力が供給されず、無線通信機能部２に
電池５から電力が供給されず、したがって無線通信機能部２が電波の受発信ができない状
態になっている時には、×印状に配置された複数個のＬＥＤ４に電源制御部６を介して電
池５から所要の電力が供給されて発光するように構成されている。
【００１５】
したがって、本発明の携帯電話装置１００においては、第１の電源スイッチ手段７の操
作により、無線通信機能部２への給電を行わずにその機能を停止した時には、電波発信機
能停止表示部１２を構成している複数個のＬＥＤ４が点灯して電話機模様１３の部分に×
印が明瞭に形成されるので、電波発信機能が停止されて電子医療機器や電子航空機器に悪
影響が及ぶ懸念のある電波が出ていないことが周囲にいる人にも一目瞭然となる。
【００１６】
そのため、本発明の携帯電話装置１００の使用者は、病院や飛行機の中でも人目を気に
することなく無線通信機能（電波発信機能）以外の電話帳機能、計算機機能、カメラ機能
、音声・映像再生機能、手帳機能等を利用することが可能になる。
【００１７】
なお、本発明は上記実施例に限定されるものではないので、特許請求の範囲に記載の趣
旨から逸脱しない範囲で各種の変形実施が可能である。
【００１８】
例えば、電波発信機能停止表示部１２は、ケース体１０の表示部１１が設けられた側の
面と、その反対（裏）側の面の２箇所、或いは更に他の面（端面を含む）にも設けて、何
れかの電波発信機能停止表示部１２が周囲から容易に視認できるように構成しても良い。
【００１９】
また、給電時には複数個のＬＥＤ４が適宜の間隔で同時に点滅するように電源制御部６
を構成したり、第１の電源スイッチ手段７が操作されたときに無線通信機能部２の電波の
発信／停止だけが変更されるように電源制御部６を構成することも可能である。
【００２０】
また、電話機模様１３を単なる印刷などで形成するのではなく、×印状に配置された複
数個のＬＥＤ４が点灯するときに、電話機模様１３の部分が適宜のバックライトによって
明るく照らされるように構成しても良い。
【００２１】
また、複数個のＬＥＤ４に代えて、電話機模様１３の部分に透光部を×印状に設けると
共に、給電時に点灯する適宜のバックライトが×印状に形成された透光部を通過し、電話
機模様１３の部分で×印状に光る（外部から見て）ように構成しても良い。
【００２２】
また、第２の電源スイッチ手段８で無線通信機能部２と情報処理機能部３の両方に対し
て電池５の電力を供給するか否かを選択し、第１の電源スイッチ手段７で無線通信機能部
２に対して電池５の電力を供給するか否かを選択するように構成しても良い。
【図面の簡単な説明】
【００２３】
【図１】本発明の携帯電話装置の概観の一例を示す説明図である。
【図２】本発明の携帯電話装置の概略構成を示すブロック図である。
【図３】従来の携帯電話装置の概略構成を示すブロック図である。
【符号の説明】
【００２４】
１  アンテナ
２  無線通信機能部
３  情報処理機能部
３Ｘ  情報再生機能処理部
４  ＬＥＤ
５  電池
６  電源制御部
７  第１の電源スイッチ手段
８  第２の電源スイッチ手段
１０  ケース体
１１  表示部
１２  電波発信機能停止表示部
１３  電話機模様
１００、１００Ｘ  携帯電話装置
【図１】
2006140746.tif 000003
【図２】
2006140746.tif 000004
【図３】
2006140746.tif 000005